(57)【要約】【課題】耐震性・安定性を向上させた擁壁を提供するとともに、耐震性・安定性を向上させた擁壁を構築するための擁壁用ブロックを提供する。【解決手段】擁壁１０の表面側に配される表面壁３０と、表面壁３０の背面側に配されて自身と表面壁３０との間に充填材２２を充填させるための上下に開口する空所Ｓを形成する背面壁３２と、を備えた擁壁用ブロック２０において、背面壁３２を、下方側が外側に向かって傾斜させたものとする。擁壁用ブロック２０には、背面壁３２と充填材２２との間の摩擦によって、上下方向の抵抗力だけでなく、水平方向の抵抗力も作用するため、その擁壁用ブロック２０を用いて構築された擁壁１０は、耐震性・安定性に優れたものとなる。【選択図】図２
2019218721.tif 000002
【特許請求の範囲】
【請求項１】
擁壁の表面側に配される表面壁と、
前記表面壁の背面側に配され、自身と前記表面壁との間に充填材を充填させるための上下に開口する空所を形成する背面壁と、
を備え、
前記背面壁は、下方側が外側に向かって傾斜していることを特徴とする擁壁用ブロック。
【請求項２】
前記背面壁は、当該擁壁用ブロックの底面に対してなす角度が７０°以上８０°以下とされた請求項１に記載の擁壁用ブロック。
【請求項３】
前記背面壁は、内面と外面との少なくとも一方に凹凸形状を有するものとされた請求項１または請求項２に記載の擁壁用ブロック。
【請求項４】
前記背面壁は、内面と外面との少なくとも一方に、傾斜方向に直交する方向に延びる複数の段差が形成されることで、凹凸形状を有するものとされた請求項３に記載の擁壁用ブロック。
【請求項５】
前記背面壁は、下端に外側に向かって突出するフランジ部を有する請求項１ないし請求項４のいずれか１項に記載の擁壁用ブロック。
【請求項６】
前記背面壁は、前記フランジ部の突出した寸法が、前記背面壁における前記フランジ部のない箇所の厚みより小さくされた請求項５に記載の擁壁用ブロック。
【請求項７】
前記背面壁が、前記表面壁に対向する箇所に、当該擁壁用ブロックが敷設された状態において当該擁壁用ブロックの移動を規制するための棒状のアンカー部材を挿通させるアンカー孔を有する請求項１ないし請求項６のいずれか１項に記載の擁壁用ブロック。
【請求項８】
前記表面壁は、下側が表面側に向かって傾斜する形状とされた請求項１ないし請求項７のいずれか１項に記載の擁壁用ブロック。
【請求項９】
前記表面壁は、側端が円弧状に形成された請求項１ないし請求項８のいずれか１項に記載の擁壁用ブロック。
【請求項１０】
前記表面壁は、概して矩形状のものとされ、
前記背面壁が、前記表面壁の背面側に前記表面壁から離間して配された控壁と、互いに側方に間隔をおいて配され、それぞれが前記表面壁と前記控壁とを繋ぐ一対の側壁と、を含んで構成された請求項１ないし請求項９のいずれか１項に記載の擁壁用ブロック。
【請求項１１】
前記控壁が、当該擁壁用ブロックが敷設された状態において当該擁壁用ブロックの移動を規制するための棒状のアンカー部材を挿通させるアンカー孔を有し、
前記アンカー孔が、前記控壁における外面から内面に向かって下側に傾斜した状態で貫通形成された請求項１０に記載の擁壁用ブロック。
【請求項１２】
前記控壁および前記一対の側壁は、高さが前記表面壁の高さより低くされ、前記控壁は、高さが前記一対の側壁の高さより高くされた請求項１０または請求項１１に記載の擁壁用ブロック。
【請求項１３】
当該擁壁用ブロックは、前記表面壁が平面視において所定の角度で屈折した形状とされた請求項１ないし請求項９のいずれか１項に記載の擁壁用ブロック。
【請求項１４】
前記表面壁が、平面視で直角に屈折した形状とされるとともに、前記背面壁が、平面視で直角に屈折した形状とされ、
前記空所が、前記表面壁と前記背面壁とによって平面視で概して方形状に形成された請求項１３に記載の擁壁用ブロック。
【請求項１５】
それぞれが請求項１ないし請求項１４のいずれか１項に記載の擁壁用ブロックである複数の擁壁ブロックを用いて構築された擁壁であって、
前記表面壁が連なるようにして複数の前記擁壁用ブロックが水平方向に並べられて前記表面壁と法面との間に充填材が充填されることによって１つの段が形成され、上段が下段に対して法面側にずらされて複数段積み上げられることで構築された擁壁。
【発明の詳細な説明】
【技術分野】
【０００１】
本発明は、擁壁用ブロックに関し、また、その擁壁用ブロックを用いて構築された擁壁に関する。
【背景技術】
【０００２】
下記特許文献１には、上下に開口した箱型の擁壁用ブロック（プレキャストコンクリートブロック）が記載され、また、その擁壁用ブロックを用いて構築された擁壁、いわゆる箱型擁壁が記載されている。下記特許文献１に記載された箱型擁壁は、それを構成する複数の擁壁用ブロック同士が連結されずに構築されるものであるため、地震時の土圧に対して擁壁用ブロックが微小に挙動することで、発生する応力を減少させ、擁壁用ブロックのひび割れ、擁壁の崩壊を防止することができるものとなっている。また、地盤反力が小さく、地盤の圧密沈下や地震時の地盤変状に伴う擁壁の不同沈下にも追従性を発揮して、安定性の高いものとなっている。
【０００３】
上記特許文献１に記載の擁壁に用いられている擁壁用ブロックは、擁壁の表面側に配される表面板と、表面板から後方に離間して設けられた控板と、互いに側方に間隔をおいて配され、それぞれが表面板と控板とを繋ぐ一対の繋ぎ板と、を備えたものとされている。控板は、当該擁壁用ブロックが擁壁に用いられた状態において、前方への移動を防止することを目的としており、鉛直に立設させられたものとなっている。また、一対の繋ぎ板も、同様に、鉛直に立設させられたものとなっている。
【先行技術文献】
【特許文献】
【０００４】
【特許文献１】特開２０１７−９５８９８号公報
【発明の概要】
【発明が解決しようとする課題】
【０００５】
上記特許文献１に記載の擁壁を含め、擁壁は、常時、耐震性・安定性の向上が望まれる。上記特許文献１に記載の箱型擁壁は、耐震性や安定性を向上させることに関して、未だ改良の余地が残されている。
【０００６】
本発明は、そのような実情に鑑みてなされたものであり、耐震性・安定性を向上させた擁壁を提供するとともに、耐震性・安定性を向上させた擁壁を構築するための擁壁用ブロックを提供することを課題とする。
【課題を解決するための手段】
【０００７】
上記課題を解決するために本発明の擁壁用ブロックは、
擁壁の表面側に配される表面壁と、
前記表面壁の背面側に配され、自身と前記表面壁との間に充填材を充填させるための上下に開口する空所を形成する背面壁と、
を備え、
前記背面壁は、下方側が外側に向かって傾斜していることを特徴とする。
【０００８】
本発明の擁壁用ブロックは、いわゆる箱型擁壁に用いられるブロック、つまり、上下に開口する空所に充填材である中詰材を充填可能な箱型擁壁用ブロックを前提としている。  従来の箱型擁壁用のブロックは、水平方向の移動を抑制する目的で、背面壁が鉛直に設けられていた。ただし、背面壁には、空所内に充填された中詰材（充填材）との間の摩擦、および、当該擁壁用ブロック（以下、単に「ブロック」と呼ぶ場合がある。）と法面との間に充填された裏込材との間の摩擦によって、上下方向の抵抗力が作用するように構成されていた。
【０００９】
それに対して、この構成の擁壁用ブロックは、背面壁の裾が広がったような形状とされていることで、背面壁には、中詰材や裏込材との間の摩擦によって、上下方向の抵抗力だけでなく、水平方向の抵抗力も作用することになるのである。また、背面壁には、外面側（上方側）から裏込材の荷重が加わり、背面壁は、その裏込材と内面側（空所内）に存在する中詰材との間で挟まれて、押さえ付けられるように構成される。つまり、この構成の擁壁用ブロックは、上下方向への移動と水平方向への移動の両者を抑制することができ、地震時の揺れや荷重および背面からの推力等に対して大きな摩擦抵抗が働き、破壊的な地震に対しても、水平移動や沈下等の変状を抑えることができる。
【００１０】
この構成の擁壁用ブロックは、表面壁が平面状に形成されたものに限定されず、平面視で、屈折した形状のもの、曲面形状のもの等を採用することができる。背面壁は、その表面壁の形状にあわせて、適切な形状の空所を形成するようなものとされればよく、平面視で、屈折したような形状であっても、曲面形状であってもよい。
【００１１】
なお、背面壁は、上方側に擁壁の上段のブロックが重なるため、少なくとも背面壁の後方側部分の上端高さが、表面壁の上端高さより低くされることが望ましい。
【００１２】
上記構成において、前記背面壁は、当該擁壁用ブロックの底面に対してなす角度が７０°以上８０°以下とすることもできる。
【００１３】
背面壁の底面に対してなす角度（傾斜角）が小さくなると、空所に投入する中詰材を締め固める作業が困難になってしまう。この構成の擁壁用ブロックによれば、背面壁の傾斜角が７０°以上とされることで、空所に充填した中詰材の締固め転圧を十分に行うことができるとともに、背面壁の傾斜角が８０°以下とされることで、先に述べたように、上下方向への移動と水平方向への移動の両者に対して大きな摩擦力を発生させることができる。
【００１４】
上記構成において、前記背面壁は、内面と外面との少なくとも一方に凹凸形状を有する構成とすることができる。
【００１５】
この構成の擁壁用ブロックは、背面壁が凹凸形状を有するものとされることで、充填材との間の摩擦力を、より大きくすることができ、破壊的な地震に対する変状を、より効果的に抑えることができる。なお、背面壁の凹凸形状は、特に限定されず、複数の突起、複数の凹所、複数の凸条、複数の溝等を形成することによって、背面壁が凹凸形状を有するものとすることができる。
【００１６】
上記構成において、前記背面壁は、内面と外面との少なくとも一方に、傾斜方向に直交する方向に延びる複数の段差が形成されることで、凹凸形状を有する構成とすることができる。
【００１７】
この構成の擁壁用ブロックは、背面壁の凹凸形状が限定されている。この構成の擁壁用ブロックは、傾斜方向における摩擦が大きくされるため、上下方向への移動および水平方向への移動の両者を抑えるのに好適である。
【００１８】
上記構成において、前記背面壁は、下端に外側に向かって突出するフランジ部を有する構成とすることができる。
【００１９】
この構成の擁壁用ブロックは、背面壁の外面に加えてフランジ部の上にも裏込材の荷重が作用することになる。そのため、この構成の擁壁用ブロックは、下方に押さえ付けられる荷重が大きくなり、水平方向への移動に対する摩擦力を大きくすることができ、当該ブロックの水平方向の移動を抑制することができる。また、このフランジ部は、上下方向への移動時に抵抗力を発生させるものとなるため、当該ブロックの沈下をも抑制することができる。
【００２０】
また、上記のフランジ部を有する構成において、前記背面壁は、前記フランジ部の突出した寸法が、前記背面壁における前記フランジ部のない箇所の厚みより小さくされた構成とすることができる。
【００２１】
この構成の擁壁用ブロックは、フランジ部の大きさが限定されている。フランジ部は、突出させすぎると、当該ブロックの底面積が大きくなり、水平方向に滑りやすくなってしまう。また、フランジ部は、突出させすぎると、充填材の大きな抵抗力によって破損する要因となってしまう。しかしながら、この構成の擁壁用ブロックによれば、滑りやすくなったり、フランジ部が破損したりするような事態を回避することができる。
【００２２】
上記構成において、前記背面壁が、前記表面壁に対向する箇所に、当該擁壁用ブロックが敷設された状態において当該擁壁用ブロックの移動を規制するための棒状のアンカー部材を挿通させるアンカー孔を有する構成とすることができる。
【００２３】
この構成の擁壁用ブロックによれば、アンカー孔に差し込まれるアンカーによって、当該ブロックの水平方向の移動が抑制されるため、当該ブロックの変状をより効果的に抑えることができる。なお、アンカーは、下側が表面壁側に向かって傾斜して打設されることが望ましく、当該ブロックの底面とのなす角度が、４０°以上６０以下とされることが望ましい。
【００２４】
上記構成において、前記表面壁は、下側が表面側に向かって傾斜する形状とすることができる。
【００２５】
この構成の擁壁用ブロックによれば、表面壁と中詰材との間で、上下方向への移動と水平方向への移動の両者に対して摩擦力を発生させることができるため、当該ブロックの変状をより効果的に抑えることができる。
【００２６】
上記構成において、前記表面壁は、側端が円弧状に形成された構成とすることができる。
【００２７】
この構成の擁壁用ブロックを用いた擁壁は、表面壁が連なるようにして複数のブロックが水平方向に並べられて構築される。つまり、当該ブロックは、隣接するブロックと側方の端部が近接した状態とされる。そのため、地震時等には隣接するブロック同士で側端が接触する場合があるが、側端が丸みを帯びているため、互いに逃げやすく、当該ブロックの破損を抑制することができる。さらに言えば、従来の箱型擁壁においては、過去の被災事例からみて、最下段のブロックほど破損が生じやすいことが分かっている。そのため、下段のブロックを交換等して擁壁を補修するためには、一旦、その上段すべてを取り除く必要がある。この構成の擁壁用ブロックを用いた擁壁は、そのような補修工事を行わなければならない事態を回避することができ、補修工事を行う費用も必要なく、工事による交通規制等を行う必要もないため、この構成の擁壁用ブロックは実用的なものとなる。
【００２８】
上記構成において、前記表面壁は、概して矩形状のものとされ、前記背面壁が、前記表面壁の背面側に前記表面壁から離間して配された控壁と、互いに側方に間隔をおいて配され、それぞれが前記表面壁と前記控壁とを繋ぐ一対の側壁と、を含んで構成されたものとすることができる。
【００２９】
この構成の擁壁用ブロックは、形状が限定されており、矩形状の箱型形状とされている。一般的に、箱型擁壁は、隣接するブロック同士を連結しないものであるため、この構成の擁壁用ブロックを用いて、カーブした擁壁の施工も容易に行うことができる。
【００３０】
また、上記の矩形状の箱型に形成された構成において、前記控壁が、当該擁壁用ブロックが敷設された状態において当該擁壁用ブロックの移動を規制するための棒状のアンカー部材を挿通させるアンカー孔を有し、前記アンカー孔が、前記控壁における外面から内面に向かって下側に傾斜した状態で貫通形成された構成とすることができる。
【００３１】
この構成の擁壁用ブロックは、控壁の後方側から斜め前方に向かってアンカーを差し込むことできるため、特に、当該ブロックの前方への移動を抑制することができ、当該ブロックの変状をより効果的に抑えることができる。
【００３２】
さらに、上記の矩形状の箱型に形成された構成において、前記控壁および前記一対の側壁は、高さが前記表面壁の高さより低くされ、前記控壁は、高さが前記一対の側壁の高さより高くされた構成とすることができる。
【００３３】
この構成の擁壁用ブロックは、控壁の少なくとも一部が一対の側壁より上方に突出した構成とされていることで、背面からの力に対して、一対の側壁の天端より上方に充填される充填材の一部が当該ブロックと一体的に挙動するもの（摩擦抵抗体）となるため、前方への移動に対して、より大きな摩擦力を発生させることができ、当該ブロックの変状をより効果的に抑えることができる。
【００３４】
上記構成において、当該擁壁用ブロックは、前記表面壁が平面視において所定の角度で屈折した形状とすることができる。
【００３５】
この構成の擁壁用ブロックは、表面壁が２つの平面板を連接したような形状に限定されており、いわゆるコーナー用のブロックとされている。なお、この構成の擁壁用ブロックにおいて、背面壁は、表面壁の角度にあわせて、適切な形状の空所を形成するようなものとされればよく、平面視で、屈折したような形状であっても、曲面形状であってもよい。
【００３６】
また、上記のコーナー用のブロックとされた構成において、前記表面壁が、平面視で直角に屈折した形状とされるとともに、前記背面壁が、平面視で直角に屈折した形状とされ、前記空所が、前記表面壁と前記背面壁とによって平面視で概して方形状に形成された構成とすることができる。
【００３７】
この構成の擁壁用ブロックは、直角に曲がる部分や、擁壁を構成する各段の端部に、用いることできる。従来の箱型擁壁においては、直角に曲がる部分を、矩形状の表面壁を有するブロックを２つ用いて形成していたが、この構成の擁壁用ブロックによれば、その直角に曲がる部分の施工性および経済性を向上させることができる。
【００３８】
また、上記課題を解決するために本発明の擁壁は、
それぞれが上記のように構成された擁壁用ブロックである複数の擁壁ブロックを用いて構築された擁壁であって、
前記表面壁が連なるようにして複数の前記擁壁用ブロックが水平方向に並べられて前記表面壁と法面との間に充填材が充填されることによって１つの段が形成され、上段が下段に対して法面側にずらされて複数段積み上げられることで構築されたことを特徴とする。
【００３９】
先に述べたように、擁壁用ブロックの各々は、背面壁の裾が広がったような形状とされていることで、外面側（上方側）から充填材（中詰材，裏込材）の荷重が加わり、背面壁は押さえ付けられるように構成される。そして、このように構成された擁壁は、破壊的な地震に対しても、各擁壁用ブロックが自身の変状を抑えることができるものとなっているため、擁壁全体としての変状が抑制される。また、この構成の擁壁は、下段の擁壁用ブロックほど、大きな荷重が作用し大きな抵抗力が発生する。したがって、この構成の擁壁は、安定性の高いものとなる。したがって、この構成の擁壁は、耐震性・安定性に優れたものとなるのである。 
【００４０】
なお、この構成の擁壁は、上段のブロックが下段のブロックと当接しない程度に、表面壁の厚み以上は法面側にずらして積み上げて構築することができる。また、充填材としては、特に限定されないが、全部または主要部分は単粒度砕石（粒度範囲が３０ｍｍ〜７０ｍｍ程度の砕石）を採用することが望ましい。
【発明の効果】
【００４１】
本発明によれば、耐震性・安定性を向上させた擁壁を提供するとともに、耐震性・安定性を向上させた擁壁を構築するための擁壁用ブロックを提供することができる。
【図面の簡単な説明】
【００４２】
【図１】本発明の実施例の擁壁の外観図である。
【図２】本発明の実施例の擁壁の側面断面図である。
【図３】本発明の一実施形態の擁壁用ブロックを示す斜視図である。
【図４】図３に示した擁壁用ブロックの正面図である。
【図５】図３に示した擁壁用ブロックの背面図である。
【図６】図３に示した擁壁用ブロックの上面図である。
【図７】図３に示した擁壁用ブロックの下面図である。
【図８】図３に示した擁壁用ブロックの側面断面図である。
【図９】図３に示した擁壁用ブロックの背面からの視点において示す断面図である。
【図１０】本発明の別の実施形態の擁壁用ブロックを示す上面図である。
【図１１】図１０に示した擁壁用ブロックの下面図である。
【図１２】図１０に示した擁壁用ブロックの側面図である。
【図１３】本実施例の擁壁用ブロックに作用する力を説明するための図である。
【発明を実施するための形態】
【００４３】
以下、本発明を実施するための形態として、本発明の実施例を、図を参照しつつ詳しく説明する。なお、本発明は、下記の実施例に限定されるものではなく、当業者の知識に基づいて種々の変更、改良を施した種々の態様で実施することができる。
【００４４】
本発明の実施例である擁壁１０は、いわゆる箱型擁壁と呼ばれるものであり、図１および図２に示すように、法面１２に沿って階段状に構築されたもの、詳しく言えば、上段が下段に対して法面１２側にずらされて複数段（本実施例においては５段）積み上げられて構築されたものである。そして、本実施例の擁壁１０の各段１０ａ，１０ｂ，１０ｃ，１０ｄ，１０ｅは、おおまかには、本発明の実施例の擁壁用ブロック２０と、充填材（中詰材および裏込材）としての単粒度砕石（Ｓ−４０程度）２２（以下、単に「砕石２２」と呼ぶ場合がある）とからなる。そして、各段１０ａ，１０ｂ，１０ｃ，１０ｄ，１０ｅは、本実施例の擁壁用ブロック２０が水平方向に複数並べられ、それら複数の擁壁用ブロック２０と法面１２との間に、砕石２２が充填されることによって形成される。本実施例の擁壁１０の構築方法については、後に説明するものとし、先に、本実施例の擁壁１０に用いられる擁壁用ブロック２０について、詳しく説明する。
【００４５】
本実施例の擁壁１０には、２種類の擁壁用ブロック２０Ａ，２０Ｂが用いられている。１種目の擁壁用ブロック２０Ａは、擁壁の大部分（直線部や曲線部）に用いられる標準タイプのブロックであり、２種目の擁壁用ブロック２０Ｂは、擁壁の端部や屈曲部に用いられるコーナー用のブロックである。なお、それら２種類の擁壁用ブロック２０Ａ，２０Ｂは、いずれもプレキャストコンクリートである。以下に説明においては、１種目の標準タイプのブロックを、標準ブロック２０Ａと呼び、２種目のコーナー用のブロックを、コーナーブロック２０Ｂと呼ぶこととする。
【００４６】
まず、標準ブロック２０Ａについて、図３ないし図９を参照しつつ、詳しく説明する。なお、各図において、前方（擁壁１０の表面方向）および後方（背面方向）をＦおよびＢの矢印でそれぞれ示し、上方および下方をＵＰおよびＤＷの矢印でそれぞれ示し、標準ブロック２０Ａの正面からの視点において左方および右方をＬおよびＲの矢印でそれぞれ示す。
【００４７】
標準ブロック２０Ａは、擁壁１０の表面側に配された表面壁３０と、その表面壁３０の背面側に配されて表面壁３０との間に中詰材としての砕石２２を充填させるための上下に開口する空所Ｓを形成する背面壁３２と、を備えている。表面壁３０は、図４の正面図に示すように、概して長方形の板状（矩形状）のものとされており、表面３０ａが意匠面とされて環境や景観に合わせた模様が施されたものとなっている。ただし、表面壁３０は、図８に示すように、上下方向における中央において段付け形状とされており、下側半分が傾斜した形状となっている。詳しく言えば、表面壁３０の下側の部分は、下方側が外側（表面側）に向かって傾斜した形状となっている。ちなみに、この表面壁３０の寸法は、左右方向の幅が約２０００ｍｍ、上下方向の幅（高さ）が約１０００ｍｍ、前後方向の厚みが約１４０ｍｍとされている。
【００４８】
また、表面壁３０の左右方向における端部である側端３０ｂは、上下方向における中央部分が、上方側および下方側に比較して左右方向に突出した形状とされている。そして、その側端３０ｂは、図６および図７に示すように、平面視で円弧状に形成されている。また、左右の側端３０ｂの各々には、上下方向における中央側の部分にゴム３４が設けられている。具体的に言えば、表面壁３０の側端３０ｂに形成された取付孔に、ゴム３４が嵌入されて固定されている。
【００４９】
背面壁３２は、平面視で概してコの字状をなしており、自身と表面壁３０との間に空所Ｓを形成するものとなっている。背面壁３２は、表面壁３０に対して背面側に離間して配された控壁４０と、左右方向に間隔をおいて配されてそれぞれが表面壁３０と控壁４０とを繋ぐ一対の繋ぎ壁（側壁）４２と、を含んで構成される。ちなみに、これら控壁４０および一対の繋ぎ壁４２の厚みは、表面壁３０厚みと同じで約１４０ｍｍとされている。また、表面壁３０の表面３０ａから背面壁３２の後端までの長さは、約１３００ｍｍとされている。
【００５０】
控壁４０は、図８に示すように、下方側が外側（背面側）に向かって傾斜した形状となっている。また、一対の繋ぎ壁４２の各々も同様に、図９に示すように、下方側が外側に向かって傾斜した形状となっている。つまり、空所Ｓは、概して四角錘台形状に形成されている。それら控壁４０および一対の繋ぎ壁４２は、当該ブロック２０Ａの底面に対してなす角度（傾斜角）θ１が、図８および図９に示すように、７５°とされている。なお、その傾斜角θ１は、７０°以上８０°以下であることが望ましい。ちなみに、表面壁３０の傾斜角θ２は、８５°程度とされている。
【００５１】
控壁４０の内面、および、一対の繋ぎ壁４２の内面および外面は、凹凸形状を有するものとなっている。具体的には、控壁４０の内面には、左右方向に延びる複数の段差４０ａが形成され、一対の繋ぎ壁４２の内面および外面には、前後方向に延びる複数の段差４２ａが形成されることで、控壁４０の内面、および、一対の繋ぎ壁４２の内面および外面は凹凸形状を有するものとなっている。さらに、表面壁３０は、上下方向における中央より下方側の部分の内面に、左右方向に延びる複数の段差３０ｄが形成され、凹凸形状を有するものとなっている。
【００５２】
また、控壁４０および一対の繋ぎ壁４２は、下端に、外側に向かって突出するフランジ部４０ｂ，４２ｂが形成されている。それら控壁４０および一対の繋ぎ壁４２のフランジ部４０ｂ，４２ｂは、外面から突出した寸法が、控壁４０および一対の繋ぎ壁４２の厚みより小さくされている。具体的には、控壁４０のフランジ部４０ｂ、および、一対の繋ぎ壁４２のフランジ部４２ｂは、突出寸法が７０ｍｍ程度とされている。なお、当該標準ブロック２０Ａの底面積が大きくなると、水平方向に滑り易くなるため、フランジ部４０ｂ，４２ｂの突出寸法は１００ｍｍ以内であることが望ましい。
【００５３】
さらに、控壁４０は、上端にも外側に向かって突出する突出部４０ｃを有している。その突出部４０ｃは、図６に示すように、控壁４０の外面から後方側に突出するとともに、左右方向の各々にも突出しており、控壁４０の上端の面積が大きくされている。また、その突出部４０ｃは、図８に示すように、後方側の外縁に沿う部分から上方に向かって延び出した上方延出部４０ｃ１を有する形状となっている。さらにまた、控壁４０は、棒状のアンカー部材（例えば鉄筋：径１９ｍｍ〜３０ｍｍ、長さ８００ｍｍ）５０を挿通させるためのアンカー孔４０ｄを有している。控壁４０は、そのアンカー孔４０ｄを２つ有しており、それらアンカー孔４０ｄは、外面から内面に向かって下方側に傾斜する方向に貫通形成されている。なお、このアンカー孔４０ｄは、アンカー部材５０の当該ブロック２０Ａの底面に対してなす角度θ３が、４０°以上６０°以下（本実施例においては５０°）となるように形成されている。
【００５４】
また、一対の繋ぎ壁４２は、後方側の部分の高さが、表面壁３０の高さより低くされており、本実施例においては表面壁３０の高さの半分（５００ｍｍ）とされている。なお、一対の繋ぎ壁４２の前方側の部分には、表面壁３０を補強するために、側面視で概して三角形状の表面壁３０の上端にまで延びる補強部４２ｃが形成されている。また、それら一対の繋ぎ壁４２は、左右方向において下端で約１２５０ｍｍの相互間隔をおいて対峙しており、それらの中央位置と表面壁３０の左右方向における中央位置とが合わせられている。つまり、表面壁３０は、各繋ぎ壁４２の外面から、左右方向における両側の各々に突出している。
【００５５】
控壁４０は、上方延出部４０ｃ１を除く部分の高さが、一対の繋ぎ壁４２の後方側の部分の高さと等しくされている。つまり、上方延出部４０ｃ１の高さは、一対の繋ぎ壁４２の高さより高くされている。
【００５６】
次に、コーナーブロック２０Ｂについて、図１０ないし図１２を参照しつつ説明する。コーナーブロック２０Ｂは、標準ブロック２０Ａと同様に、擁壁１０の表面を形成する表面壁６０と、その表面壁６０の背面側に配されて表面壁６０との間に上下に開口する空所Ｓを形成する背面壁６２とを備えている。ただし、表面壁６０は、標準ブロック２０Ａの表面壁３０のように、表面が１面だけでなく、２面有するものとなっている。具体的には、図１０および図１１に示すように、表面壁６０は、平面視で直角に屈折した形状とされ、互いに直交する２つの方向を向く第１表面６０ａ１と第２表面６０ａ２とを有している。平たく言えば、コーナーブロック２０Ｂの表面壁６０は、標準ブロック２０Ａの表面壁３０を２つ連結したようなものとなっている。つまり、それら第１表面６０ａ１と第２表面６０ａ２との各々は、左右方向の幅が約２０００ｍｍ、上下方向の幅（高さ）が約１０００ｍｍとされている。
【００５７】
なお、表面壁６０は、図１２に示すように、標準ブロック２０Ａの表面壁３０と同様に、上下方向における中央において段付き形状とされており、下側半分が傾斜した形状となっている、また、その下側半分の内面には、図１１に示すように、複数の段差６４が形成されて、凹凸形状となっている。さらに、表面壁６０は、第１表面６０ａ１を形成する部分の側端６０ｂ１と、第２表面６０ａ２を形成する部分の側端６０ｂ２とは、平面視で円弧状に形成されるとともに、ゴム３４が設けられている。
【００５８】
一方、背面壁６２は、平面視でＬ字形状のものとされ、第１表面６０ａ１を形成する部分から背面側に離間して配された第１控壁６２ａ１と、第２表面６０ａ２を形成する部分から背面側に離間して配された第２控壁６２ａ２と、を含んで構成される。そして、第１控壁６２ａ１の側端は、第２表面６０ａ２を形成する部分の背面に連結され、第２控壁６２ａ２の側端は、第１表面６０ａ１を形成する部分の背面に連結されている。したがって、空所Ｓは、概して直方体（四角錐台）形状のものとなっている。
【００５９】
そして、それら第１控壁６２ａ１および第２控壁６２ａ２の各々は、下方側が外側に向かって傾斜した形状（傾斜角７５°）とされている。また、それら第１控壁６２ａ１および第２控壁６２ａ２の各々は、図１１に示すように、内面に、複数の段差６４が形成されて凹凸形状を有するものとなっている。さらに、第１控壁６２ａ１および第２控壁６２ａ２の各々は、外面から内面に向かって下方側に傾斜する方向に貫通形成されたアンカー孔６２ｂを有している。
【００６０】
本実施例の擁壁１０は、上述した２種類の擁壁用ブロック２０Ａ，２０Ｂを用いて構築されている。まず、法面１２の直ぐ前方に、法面１２の左右方向に沿って溝１４が掘削され、その溝１４の中に、粗粒状の基礎材７２が敷設されている。基礎材７２には、例えば単粒度砕石（Ｓ−４０以上）が用いられている。
【００６１】
この基礎材７２の上には、最下段（１段目）１０ａを構成する複数の擁壁用ブロック２０が、詳しく言えば、複数の標準ブロック２０Ａと、両端の各々を構成する２つのコーナーブロック２０Ｂが、表面壁３０，６０が連なるようにして左右（水平）に並べて据え付けられている。そして、表面壁３０，６０と背面壁３２，６２との間の空所Ｓと、隣接する２つのブロック２０の間（繋ぎ壁４２と繋ぎ壁４２との間）に、中詰材である砕石２２が充填・転圧され、締め固められている。次に、アンカー部材５０が、擁壁用ブロック２０の後方側から打ち込まれ、その後、控壁４０，６２ａ１，６２ａ２と法面１２との間に、中詰材および裏込材である砕石２２が充填されるとともに、表面壁３０，６０の上端の高さまで、砕石２２が充填・転圧され締め固められる。こうして、１段目１０ａが形成される。
【００６２】
次いで、上記１段目１０ａの背面壁３２、６２の上端には当接することなく、１段目１０ａの中詰め材および裏込材の上に、２段目１０ｂの擁壁用ブロック２０が、１段目１０ａの擁壁ブロック２０より後方側に後退させて左右に並べて据え付けられる。そして、１段目１０ａと同様に、空所Ｓへの中詰材の充填、アンカー部材５０の打設、中詰材および裏込材の充填が行われ、２段目１０ｂが形成される。
【００６３】
そして、上記２段目１０ｂの上に３段目１０ｃ以降が順次２段目１０ｂと同様に構成されるとともに積み上げられて、複数段（例えば４段〜３０段、本実施例においては５段）よりなる本実施例の擁壁１０が構築されている。ちなみに、図示例の法面１２、および、これに沿った本擁壁１０は、勾配が約５分（６０〜６５度）であるため、擁壁用ブロック２０は、下段の表面壁３０，６０に対して相対的に上段の表面壁３０，６０が約５００ｍｍ後退して位置するように、階段状に据え付けられる。なお、上段の表面壁３０，６０が下段の表面壁３０，６０に対して後退させる寸法は、表面壁３０，６０の厚みを考慮して、約２００ｍｍ以上とすることができる。
【００６４】
上述したように構築された本実施例の擁壁１０は、それに用いる擁壁用ブロック２０の背面壁３２，６２が、下方側が外側に向かって傾斜した形状とされている。それにより、各ブロック２０には、図１３に示すように、背面壁３２，６２の外面と充填材２２との間、および、背面壁３２，６２の内面と充填材２２との間で、背面壁３２，６２の傾斜方向に沿った摩擦力Ｆ（図１２における白抜き矢印）が作用する。つまり、その摩擦力Ｆは、鉛直方向成分だけでなく、水平方向成分をも有するものであるため、各擁壁用ブロック２０には、地震時等において、鉛直方向への変動に対する抵抗力だけでなく、水平方向への変動に対する抵抗力も働くことになる。また、背面壁３２、６２には、外面側（上方側）から充填材（裏込材）２２の荷重が加わり、背面壁３２，６２は、その充填材２２と内面側（空所Ｓ内）に存在する充填材（中詰材）２２との間で挟まれて、押さえ付けられるように構成される。換言すれば、背面壁３２，６２が傾斜していることで、鉛直に立設した背面壁に比較して、上載荷重を受ける面積が増大し、アンカー効果が増大するため、背面側からの土圧等に対して抵抗が大きくなる。つまり、本実施例の擁壁用ブロック２０は、地震時の揺れや荷重および背面からの推力等に対して大きな摩擦抵抗が働き、破壊的な地震に対しても、水平移動や沈下等の変状を抑えることができるのである。また、本擁壁用ブロック２０は、表面壁３０，６０も、下方側が外側に向かって傾斜した形状とされているため、中詰材２２との間で、その傾斜した表面壁３０，６０に沿った方向に摩擦力が作用するため、より一層大きな摩擦抵抗が働くことになる。さらに、背面壁３２，６２の内面および外面、表面壁３０，６０の内面は、凹凸形状を有するものとなっているため、より一層大きな摩擦抵抗が働くことになる。したがって、そのような擁壁用ブロック２０を用いて構築された本実施例の擁壁１０は、耐震性および安定性に優れたものとなる。さらに言えば、本実施例の擁壁１０は、下段の擁壁用ブロック２０ほど、大きな荷重が作用するため、大きな抵抗力が発生し、より一層安定したものとなる。
【００６５】
また、本擁壁用ブロック２０は、背面壁３２，６２の底面に対してなす角度θ１が７０°以上８０°以下である７５°とされており、空所に充填した中詰材２２の締固め転圧を十分に行うことができるとともに、上下方向への移動と水平方向への移動の両者に対して大きな摩擦力を発生させることができる。
【００６６】
また、標準ブロック２０Ａは、背面壁３２が下端に外側に向かって突出するフランジ部４０ｂ，４２ｂを有しているため、背面壁３２の外面に加えてフランジ部４０ｂ，４２ｂの上にも裏込材２２の荷重（図１３における黒矢印）が作用することになる。そのため、標準ブロック２０Ａは、下方に押さえ付けられる荷重が大きくなり、水平方向への移動に対する摩擦力を大きくすることができ、当該ブロック２０Ａの水平方向の移動を抑制することができる。また、このフランジ部４０ｂ，４２ｂは、上下方向への移動時に抵抗力を発生させるものとなるため、当該ブロック２０Ａの沈下も抑制することができる。
【００６７】
さらに、本実施例の擁壁１０は、擁壁用ブロック２０に形成されたアンカー孔４０ｄ，６２ｂにアンカー部材５０が打ち込まれているため、当該ブロック２０の水平方向の移動が抑制される。さらに、アンカー部材５０が控壁の後方側から斜め前方に向かって差し込まれているため、特に、当該ブロック２０の前方への移動を抑制することができ、当該ブロック２０の変状、ひいては、本擁壁１０の変状を、より効果的に抑えることができる。
【００６８】
さらにまた、本実施例の擁壁１０は、標準ブロック２０Ａの控壁４０が突出部４０ｃを有しているため、上載荷重を受ける面積が増大し、アンカー効果が増大するため、背面側からの土圧等に対して抵抗が大きくなる。さらに、上方延出部４０ｃ１が繋ぎ壁４２の高さより高くされていることで、その上方延出部４０ｃ１の前方側かつ繋ぎ壁４２の上方側、具体的に言えば、図２に一点鎖線で示すせん断抵抗線より前方側に存在する充填材２２をも、当該ブロック２０の摩擦抵抗体として機能させることができるため、当該ブロック２０に、より一層大きな摩擦抵抗を発生させることができる。また、そのせん断抵抗線が、上段のブロック２０内に入るため、下段の砕石と上段の砕石とのかみ合わせが強く、擁壁の安定性が高いものとなっている。
【００６９】
本実施例の擁壁１０は、表面壁３０，６０が連なるようにして、複数のブロック２０が水平方向に並べられて構築される。つまり、擁壁１０において、ブロック２０は、隣接するブロック２０と側方の端部が近接した状態とされている。本擁壁用ブロック２０は、表面壁３０の左右方向における端部である側端３０ｂは、図６および図７に示すように、平面視で円弧状に形成されており、地震時等に隣接するブロック２０と接触したとしても、互いにズレ合って、破損が生じにくくなっている。さらに、左右の側端３０ｂの各々には、上下方向における中央側の部分にゴム３４が設けられており、隣接するブロック２０との接触が抑制され、より破損が生じにくくなっている。本実施例の擁壁１０は、ブロック２０の破損による補修工事を行わなければならない事態を回避することができ、補修工事を行う費用も必要なく、工事による交通規制等を行う必要もないため、実用的なものとなる。
【符号の説明】
【００７０】
１０…擁壁、１２…法面、２０…擁壁用ブロック、２０Ａ…標準ブロック、２０Ｂ…コーナーブロック、２２…砕石〔充填材〕 、３０…表面壁、３０ｂ…側端、３０ｄ…段差、３２…背面壁、４０…控壁、４０ａ…段差、４０ｂ…フランジ部、４０ｃ…突出部、    ４０ｃ１…上方延出部、４０ｄ…アンカー孔、４２…一対の繋ぎ壁〔一対の側壁〕、４２ａ…段差、４２ｂ…フランジ部、５０…アンカー部材、６０…表面壁、６０ｂ１，６０ｂ２…側端、６２…背面壁、６２ｂ…アンカー孔
【図１】
2019218721.tif 000003
【図２】
2019218721.tif 000004
【図３】
2019218721.tif 000005
【図４】
2019218721.tif 000006
【図５】
2019218721.tif 000007
【図６】
2019218721.tif 000008
【図７】
2019218721.tif 000009
【図８】
2019218721.tif 000010
【図９】
2019218721.tif 000011
【図１０】
2019218721.tif 000012
【図１１】
2019218721.tif 000013
【図１２】
2019218721.tif 000014
【図１３】
2019218721.tif 000015